(57)【要約】      （修正有）【課題】組み立てが便利で、且つ歯車のかみ合わせの状態を長期間安定して保持させることができるため使用寿命が長い、伝動構造を備えた脱水桶を提供する。【解決手段】外部ケース１０と、駆動モジュールと、伝動モジュールとからなる。該外部ケースには上、下部収容室１１，１２が設けられ、下部収容室は該駆動モジュールを収容する。駆動モジュールは外部ケースの底台座２１に固定され、該底台座には、反復回転可能な可動部材２３と伝動部材が枢設され、可動部材の一側は外部ケースに貫通し、可動部材の一側には踏み板を設ける。さらに、可動部材の他側には、弧形或いは直線形の棒状部材が設けられ、棒状部材は配列歯部を備える。配列歯部は、金属材質であるか、或いは、プラスチック材質上に金属層を敷設してなり、伝動部材同軸には伝動歯車を設け、伝動歯車は、弧形棒状部材の金属層或いは金属材質の配列歯部に噛み合わされ、伝動モジュールには枢軸を設け、上部収容室１１における枢軸の一端には物受け部材３２を設ける。【選択図】図１
0003171639.tif 000002
【実用新案登録請求の範囲】
【請求項１】
外部ケースと、駆動モジュールと、伝動モジュールと、からなる伝動構造を備えた脱水桶であって、
前記外部ケースには、上部収容室と下部収容室とが設けられるとともに、前記外部ケースの前記下部収容室の一側には開口が設けられ、前記駆動モジュールは前記下部収容室内に収容され、前記伝動モジュールには枢軸が設けられ、前記枢軸は前記上部収容室に穿設され、前記駆動モジュールには底台座が設けられ、前記底台座には二つの翼片が設けられ、二つの翼片間には、可動部材と伝動部材とが枢設され、
前記可動部材の一側には踏み板が設けられ、前記踏み板は前記外部ケースの開口から貫通され、前記可動部材の他側には棒状部材が設けられ、前記棒状部材は、プラスチック材質の配列歯部を備え、前記配列歯部上には金属層が敷設され、前記伝動部材の同軸には、伝動歯車と第一斜歯車が設けられ、前記伝動歯車は、前記棒状部材の前記配列歯部の前記金属層に噛み合わされることを特徴とする、伝動構造を備えた脱水桶。
【請求項２】
前記駆動モジュールの可動部材には凸軸が設けられ、前記凸軸にはスプリングが嵌め込まれ、前記凸軸は前記底台座の二つの翼片に枢設され、前記スプリングの両端は、それぞれ、前記可動部材と翼片の内の一つに当接することを特徴とする、請求項１に記載の伝動構造を備えた脱水桶。
【請求項３】
前記伝動モジュール内の前記上部収容室における前記枢軸には物受け部材が固定され、前記物受け部材には複数の隙間が設けられ、前記下部収容室における前記枢軸には単方向軸受が枢設され、前記単方向軸受の外周には第二斜歯車が設けられ、前記第二斜歯車は前記第一斜歯車に噛み合わされることを特徴とする、請求項１に記載の伝動構造を備えた脱水桶。
【請求項４】
前記棒状部材は、弧形、或いは、直線形であることを特徴とする、請求項１に記載の伝動構造を備えた脱水桶。
【請求項５】
外部ケースと、駆動モジュールと、伝動モジュールとからなる伝動構造を備えた脱水桶であって、
前記外部ケースには、上部収容室と下部収容室とが設けられ、前記外部ケースの前記下部収容室の一側には開口が設けられ、前記駆動モジュールは前記下部収容室内に収容され、前記伝動モジュールには枢軸が設けられ、前記枢軸は前記上部収容室に穿設され、前記駆動モジュールには底台座が設けられ、前記底台座には二つの翼片が設けられ、二つの翼片の間には可動部材と伝動部材が枢設され、前記伝動モジュールには枢軸が設けられ、前記枢軸には前記上部収容室が穿設され、前記上部収容室における前記枢軸には物受け部材が固定され、前記物受け部材には複数の隙間が設けられ、前記下部収容室における前記枢軸には単方向軸受が枢設され、前記単方向軸受の外周には第二斜歯車が設けられ、前記第二斜歯車は前記第一斜歯車    に噛み合わされることを特徴とする、伝動構造を備えた脱水桶。
【請求項６】
前記駆動モジュールの可動部材には凸軸が設けられ、前記凸軸にはスプリングが嵌め込まれ、前記凸軸は前記底台座の二つの翼片に枢設され、前記スプリングの両端は、それぞれ前記可動部材と翼片の内の一つに当接することを特徴とする、請求項５に記載の伝動構造を備えた脱水桶。
【請求項７】
前記伝動モジュール内の前記上部収容室における前記枢軸には物受け部材が固定され、前記物受け部材には複数の隙間が設けられ、前記単方向軸受の外周には第二斜歯車が設けられ、前記第二斜歯車は前記第一斜歯車に噛み合わされることを特徴とする、請求項５に記載の伝動構造を備えた脱水桶。
【請求項８】
前記棒状部材は、弧形、或いは、直線形であることを特徴とする、請求項５に記載の伝動構造を備えた脱水桶。
【考案の詳細な説明】
【技術分野】
【０００１】
本考案は生活用品に応用される技術領域に関し、特に組み立てが便利で使用寿命が長いモップ用伝動構造を備えた脱水桶に関する。
【背景技術】
【０００２】
台湾特許第Ｍ３３８６３４号には、一般的な従来のモップ用脱水桶の構造が開示されている。従来のモップ用脱水桶結構は、ケースと、装置部と、回転ユニットと、伝動ユニットと、プッシュロッドユニットとからなる。前記ケースの底部には前記装置部が設けられ、前記装置部は前記プッシュロッドユニットに枢設され、前記伝動ユニットは前記装置部に設けられ、前記伝動ユニットには、順番に連動する配列歯部、ガイドレール、第一歯車、第二歯車等が設けられる。前記プッシュロッドユニットは前記配列歯部を駆動させることができる。前記回転ユニットには、前記伝動ユニットを駆動させる伝動歯軸と物受け部材が設けられ、前記伝動歯軸は前記ケースを貫通し、前記ケース内における前記伝動歯軸には前記物受け部材が固定される。そして、前記プッシュロッドユニットを踏むことにより、前記配列歯部を移動させることができ、それにより、前記第一歯車と前記第二歯車が動かされて、前記伝動歯軸が連動し、前記物受け部材は前記ケース内で回転する。
【０００３】
しかしながら、歯車はプラスチック材質であるため、ある程度の時間を使用していると摩耗し、歯と歯の間の噛み合わせに関し、歯が欠けたり、歯ぎしり状態になったり、緩んで抜けたりする等の噛み合わせの問題が起き、脱水桶を完全に回転させることができず、使用し続けることができない。
【先行技術文献】
【特許文献】
【０００４】
【特許文献１】台湾特許第Ｍ３３８６３４号明細書
【考案の概要】
【考案が解決しようとする課題】
【０００５】
本考案は、組み立てが便利で、且つ歯車のかみ合わせの状態を長期間安定して保持させることができるため使用寿命が長く、噛み合わせに問題が起きるという従来の問題を解決することが可能な、伝動構造を備えた脱水桶を提供することを目的とする。
【課題を解決するための手段】
【０００６】
上述の目的を達成するために、本考案による伝動構造を備えた脱水桶は、外部ケースを備える。前記外部ケースには、上部収容室と下部収容室とが設けられ、前記外部ケースの前記下部収容室の一側には開口が設けられ、前記下部収容室内には駆動モジュールが設けられ、前記駆動モジュールには底台座が設けられ、前記底台座には二つの翼片が設けられ、二つの翼片の間には可動部材と伝動部材が枢設され、前記可動部材の一側には踏み板が設けられ、前記踏み板は前記外部ケースの開口を貫通し、前記可動部材の他側には、弧形或いは直線形の棒状部材が設けられ、前記棒状部材は配列歯部を備え、前記伝動部材の同軸には伝動歯車と第一斜歯車が設けられ、前記配列歯部はプラスチック材質であり、前記配列歯部には金属層が敷設され、前記伝動歯車は前記棒状部材内の前記配列歯部の金属層に噛み合わされ、前記配列歯部は金属材質であり、前記伝動歯車は前記棒状部材内の金属材質の前記配列歯部に噛み合わされる。本考案による伝動構造を備えた脱水桶には、さらに伝動モジュールが設けられる。前記伝動モジュールには枢軸が設けられ、前記枢軸は前記上部収容室に穿設され、前記上部収容室における前記枢軸には物受け部材が固定され、前記物受け部材には複数の隙間が設けられ、前記単方向軸受の外周には第二斜歯車が設けられ、前記第二斜歯車は前記第一斜歯車に噛み合わされる。
【図面の簡単な説明】
【０００７】
【図１】本考案による伝動構造を備えた脱水桶を示した斜視図である。
【図２】本考案による伝動構造を備えた脱水桶を示した分解図である。
【図３】本考案による伝動構造を備えた脱水桶内の駆動モジュールを示した斜視図である。
【図４】本考案による伝動構造を備えた脱水桶内の駆動モジュールを示した断面図である。
【図５】本考案による伝動構造を備えた脱水桶内の駆動モジュールの実施例１の一部を示した透視図である。
【図６】本考案による伝動構造を備えた脱水桶内の駆動モジュールの実施例２の一部を示した透視図である。
【図７】本考案による伝動構造を備えた脱水桶内の駆動モジュールの実施例３の一部を示した透視図である。
【図８】本考案による伝動構造を備えた脱水桶内の駆動モジュールの実施例４の一部を示した透視図である。
【考案を実施するための形態】
【０００８】
図１から図８を同時に参照する。図１は、本考案による伝動構造を備えた脱水桶を示した斜視図であり、図２は、本考案による伝動構造を備えた脱水桶を示した分解図であり、図３は、本考案による伝動構造を備えた脱水桶内の駆動モジュールを示した斜視図であり、図４は、本考案による伝動構造を備えた脱水桶内の駆動モジュールを示した断面図であり、図５は、本考案による伝動構造を備えた脱水桶内の駆動モジュールの実施例１の一部を示した透視図であり、図６は、本考案による伝動構造を備えた脱水桶内の駆動モジュールの実施例２の一部を示した透視図であり、図７は、本考案による伝動構造を備えた脱水桶内の駆動モジュールの実施例３の一部を示した透視図であり、図８は、本考案による伝動構造を備えた脱水桶内の駆動モジュールの実施例４の一部を示した透視図である。
【０００９】
本考案によるモップ用の伝動構造を備えた脱水桶は、外部ケース１０と、駆動モジュール２０と、伝動モジュール３０と、によって構成する。
【００１０】
外部ケース１０は、上部収容室１１と、下部収容室１２とが設けられ、外部ケース１０の下部収容室１２の一側には開口１３が設けられる。
【００１１】
駆動モジュール２０は、下部収容室１２内に収容され、駆動モジュール２０には底台座２１が設けられ、底台座２１には二つの翼片２２が設けられ、二つの翼片２２の間には、可動部材２３と伝動部材２４が枢設される。可動部材２３には凸軸２３０が設けられ、凸軸２３０にはスプリング２５が嵌め込まれ、凸軸２３０は底台座２１の二つの翼片２２に設けられ、スプリング２５の両端は、可動部材２３と翼片２２の内の一つに当接する。また、可動部材２３の一側には踏み板２３１が設けられ、踏み板２３１は外部ケース１０の開口１３に貫通され、可動部材２３の他側には棒状部材２３２が設けられ、棒状部材２３２は弧形にすることもできるし（図５に図示）、直線形にすることもできるが（図７に図示）、それに限定されるものではない。棒状部材２３２は配列歯部２３３を備え、配列歯部２３３はプラスチック材質であり、配列歯部２３３にはさらに金属層２３４が敷設され（図５と図７に図示）、金属層２３４と伝動歯車２４０は噛み合わされる。
【００１２】
伝動モジュール３０には枢軸３１が設けられ、枢軸３１は上部収容室１１に穿設され、上部収容室１１における枢軸３１には、物受け部材３２が固定され、物受け部材３２には複数の隙間３２０が設けられ、多すぎる水滴を収容するか水を通過させる。下部収容室１２における枢軸３１には単方向軸受３３が枢設され、単方向軸受３３の外周には第二斜歯車３４が設けられ、第二斜歯車３４は第一斜歯車２４１に噛み合わされる。上述の構造により、本考案の脱水桶構造が完成する。
【００１３】
本考案を使用する時は、使用者が踏み板２３１を踏むと、可動部材２３が凸軸２３０に沿って回転し、それと同時にスプリング２５が圧縮するとともに、伝動歯車２４０が駆動し、順番に、第一斜歯車２４１、第二斜歯車３４、枢軸３１を動かし、物受け部材３２は素早く回転する。それにより、遠心力で被脱水物を脱水することができる。また、踏み板２３１を開放した時は、可動部材２３がスプリング２５の反発弾力を受け、踏み板２３１が元の状態に戻り、単方向軸受３３は反対方向に運動するとともに、枢軸３１に対して空転するため、物受け部材３２が回転し続ける動作に影響を与えない。そして、踏み板２３１を反復して踏むことにより、物受け部材３２を素早く回転させることができ、素早い脱水効果を達成させることができる。
【００１４】
また、伝動歯車２４０はプラスチックの材質からなるとともに、金属材質の金属層２３４（図５に図示）、或いは、金属材質の配列歯部２３３（図６に図示）と接触して相互に作用するため、俗に言う歯ぎしりの問題が生じにくく、噛み合わせがうまくいかないという状況を防ぐことができる。
【符号の説明】
【００１５】
１０               外部ケース
１１               上部収容室
１２               下部収容室
１３               開口
２０               駆動モジュール
２１               底台座
２２               翼片
２３               可動部材
２３０             凸軸
２３１             踏み板
２３２             棒状部材
２３３             配列歯部
２３４             金属層
２４               伝動部材
２４０             伝動歯車
２４１             第一斜歯車
２５               スプリング
３０               伝動モジュール
３１               枢軸
３２               物受け部材
３２０             隙間
３３               単方向軸受
３４               第二斜歯車
【図１】
0003171639.tif 000003
【図２】
0003171639.tif 000004
【図３】
0003171639.tif 000005
【図４】
0003171639.tif 000006
【図５】
0003171639.tif 000007
【図６】
0003171639.tif 000008
【図７】
0003171639.tif 000009
【図８】
0003171639.tif 000010